(57)【要約】      （修正有）【課題】画像形成装置が記憶するユーザの情報に基づき、ログインしたユーザが実行可能な機能を決定する画像形成装置を提供する。【解決手段】ユーザ情報に基づいてログイン後に、１又は複数の機能が実行可能な制御部を有する画像形成装置において、ユーザ情報として１又は複数の項目を記憶する記憶部を備え、前記制御部は、前記ユーザ情報の項目に基づいて、実行可能な機能を決定する。【選択図】図６
2020100070.tif 000002
【特許請求の範囲】
【請求項１】
ユーザ情報に基づいてログイン後に、１又は複数の機能が実行可能な制御部を有する画像形成装置において、
ユーザ情報として１又は複数の項目を記憶する記憶部を備え、
前記制御部は、
前記ユーザ情報の項目に基づいて、実行可能な機能を決定する
ことを特徴とする画像形成装置。
【請求項２】
前記制御部は、
前記ユーザ情報の項目に基づいて、前記実行可能な機能を実行する場合に、使用条件が併せて決定することを特徴とする請求項１に記載の画像形成装置。
【請求項３】
前記制御部は、
前記ユーザ情報の項目が１つの場合には、前記実行可能な機能として、コピー機能を決定することを特徴とする請求項１に記載の画像形成装置。
【請求項４】
前記コピー機能は、実行可能な機能が制限されていることを特徴とする請求項３に記載の画像形成装置。
【請求項５】
前記ユーザ情報を入力する入力部と、表示部とを更に有し、
前記制御部は、
前記入力されたユーザ情報の項目に応じて前記実行可能な機能を前記表示部に表示する、
ことを特徴とする請求項１から４の何れか一項に記載の画像形成装置。
【請求項６】
前記ユーザ情報は、識別情報と、ログイン名、パスワード及び／又はメールアドレスとを項目として記憶することを特徴とする請求項１から５の何れか一項に記載の画像形成装置。
【発明の詳細な説明】
【技術分野】
【０００１】
本発明は、画像形成装置に関する。
【背景技術】
【０００２】
従来より、画像形成装置には、様々な機能や、画像形成装置を利用するユーザを認証する機能が備えられている。また、ユーザを認証する方法により、ユーザに所定の権限を付与し、付与した権限に基づいて、実行可能な機能を制限したり開放したりする技術も提案されている。
【０００３】
例えば、パスワードを必要としない簡易的なユーザ認証によってログインした場合には一般ユーザの権限を付与し、パスワードを必要とするセキュアなユーザ認証によってログインした場合には管理者の権限を付与する技術が提案されている（例えば、特許文献１参照）。
【先行技術文献】
【特許文献】
【０００４】
【特許文献１】特開２０１５−７８９３
【発明の概要】
【発明が解決しようとする課題】
【０００５】
しかしながら、特許文献１に開示された技術によれば、簡易的なユーザ認証によってログインしたユーザが、実行が制限されている機能の使用を所望した場合は、別途セキュアなユーザ認証によるログインが必要となる。そのため、ユーザに負担をかけてしまうという問題がある。
【０００６】
上述した課題に鑑み、本発明は、画像形成装置が記憶するユーザの情報に基づき、ログインしたユーザが実行可能な機能を決定する画像形成装置を提供することを目的とする。
【課題を解決するための手段】
【０００７】
上述した課題を解決するために、本発明の画像形成装置は、
ユーザ情報に基づいてログイン後に、１又は複数の機能が実行可能な制御部を有する画像形成装置において、
ユーザ情報として１又は複数の項目を記憶する記憶部を備え、
前記制御部は、
前記ユーザ情報の項目に基づいて、実行可能な機能を決定する
ことを特徴とする。
【発明の効果】
【０００８】
本発明によれば、画像形成装置が記憶するユーザの情報に基づき、ログインしたユーザが実行可能な機能を決定することが可能となる。
【図面の簡単な説明】
【０００９】
【図１】第１実施形態における画像形成装置の機能構成図である。
【図２】第１実施形態におけるユーザ情報のデータ構造を説明するための図である。
【図３】第１実施形態におけるクイックログイン画面を説明するためのフロー図である。
【図４】第１実施形態における利用可能機能テーブルを説明するための図である。
【図５】第１実施形態におけるメイン処理の流れを説明するためのフロー図である。
【図６】第１実施形態におけるホーム画面表示処理の流れを説明するためのフロー図である。
【図７】第１実施形態におけるユーザ登録処理の流れを説明するためのフロー図である。
【図８】第１実施形態における動作例を説明するための図である。
【図９】第１実施形態における動作例を説明するための図である。
【図１０】第１実施形態における動作例を説明するための図である。
【図１１】第１実施形態における動作例を説明するための図である。
【図１２】第１実施形態における動作例を説明するための図である。
【図１３】第１実施形態における動作例を説明するための図である。
【図１４】第１実施形態における動作例を説明するための図である。
【図１５】第１実施形態における動作例を説明するための図である。
【図１６】第１実施形態における動作例を説明するための図である。
【図１７】第１実施形態における動作例を説明するための図である。
【図１８】第１実施形態における動作例を説明するための図である。
【図１９】第２実施形態におけるユーザ情報のデータ構造を説明するための図である。
【図２０】第２実施形態における利用可能機能テーブルを説明するための図である。
【図２１】第２実施形態における動作例を説明するための図である。
【図２２】第３実施形態における利用可能機能テーブルを説明するための図である。
【図２３】第３実施形態におけるメイン処理の流れを説明するためのフロー図である。
【図２４】第３実施形態における動作例を説明するための図である。
【発明を実施するための形態】
【００１０】
以下、本発明の実施の形態について、図面を参照して説明する。なお、本実施形態では、一例として、本発明を適用した画像形成装置について説明する。
【００１１】
［１．第１実施形態］
［１．１  機能構成］
本実施形態の画像形成装置１０の機能構成について、図１に基づいて説明する。図１に示すように、画像形成装置１０は、制御部１００と、画像入力部１１０と、画像処理部１２０と、画像形成部１３０と、表示部１４０と、操作入力部１５０と、通信部１６０と、記憶部１７０とを備えて構成される。
【００１２】
制御部１００は、画像形成装置１０の全体を制御する機能部である。制御部１００は、記憶部１７０に記憶されている各種プログラムを読み出して実行することにより各種機能を実現しており、例えば１又は複数の演算装置であるＣＰＵ（Central Processing Unit）により構成されている。
【００１３】
画像入力部１１０は、原稿の画像を読み取って画像データを生成する機能部である。例えば、画像入力部１１０は、ＣＣＤ（Charge Coupled Device）等の光学情報を電気信号に変換するデバイスを備えたスキャナ装置等により構成される。なお、画像入力部１１０は、スキャナ装置等の他にもデジタルカメラ等で撮像された画像を外部から取り込むようにしてもよい。また、画像入力部１１０は、ＵＳＢメモリや、コンパクトフラッシュ（登録商標）等の記憶媒体、通信部１６０を介して他の端末から原稿データを入力（受信）してもよい。
【００１４】
画像処理部１２０は、画像データに各種画像処理を施す機能部である。例えば、画像処理部１２０は、画像データの鮮鋭化処理を行ったり、色変換処理を行ったりする。
【００１５】
画像形成部１３０は、画像データを記録媒体（例えば記録用紙）に形成する機能部である。例えば、画像形成部１３０は、給紙トレイから給紙された記録用紙の表面に画像を形成し、排紙トレイから排紙する。画像形成部１３０は、例えば電子写真方式を利用したレーザプリンタ等により構成されている。
【００１６】
表示部１４０は、画像形成装置１０が各種情報を表示したり、ユーザに報知する内容を表示したりする機能部である。例えば、表示部１４０は、ＬＣＤ（Liquid Crystal Display）や、有機ＥＬ（Electroluminescence）等のＯＬＥＤ（Organic Light Emitting Diode）を利用したディスプレイ等で構成される。また、表示部１４０は、外部の表示装置であったり、通信部１６０を介して接続可能な他の端末装置であったりしてもよい。例えば、表示部１４０が表示する表示画面は、コンピュータが画像形成装置１０にＷＥＢブラウザでアクセスすることで、コンピュータにＷＥＢ画面として表示されてもよい。
【００１７】
操作入力部１５０は、ユーザからの操作入力を受け付ける機能部である。例えば、操作入力部１５０は、ハードウェアキーや、タッチパネルを利用したソフトウェアキーにより構成される。また、操作入力部１５０は、ユーザからの操作入力を受け付けられればよく、例えば音声入力や、視線入力といった方法でもよい。
【００１８】
通信部１６０は、他の装置と接続したり、ネットワークに接続したりして、他の機器を行う機能部である。例えば、通信部１６０は、通信可能なインタフェースとして構成される。接続方法としては、有線／無線の何れにより実現されてもよい。例えば、他の情報処理装置や、画像形成装置と通信を行ったり、サーバと通信を行ったりすることが可能である。また、通信部１６０は、デジタルカメラやスキャナ等の入力装置や、外部ディスプレイ等の表示装置とも接続し、通信することができる。
【００１９】
記憶部１７０は、画像形成装置１０の動作に必要な各種プログラムや、各種データを記憶している。記憶部１７０は、例えば、ＳＳＤ（Solid State Drive）等の半導体メモリや、ＨＤＤ（Hard Disk Drive）等により構成されている。また、画像形成装置１０の記憶装置ではなく、例えばネットワークを介して接続されたＮＡＳ（Network Attached Storage）やクラウドサーバに記憶領域が設けられてもよい。
【００２０】
記憶部１７０は、ユーザ情報記憶領域１７２と、アイコン画像データ記憶領域１７４とを確保し、利用可能機能テーブル１７８と、クイックログインプログラム１７６とを記憶する。
【００２１】
ユーザ情報記憶領域１７２は、ユーザ情報を記憶する領域である。図２は、ユーザ情報のデータ構造の一例を示した図である。ユーザ情報は、項目毎に値が記憶されている。ユーザ情報の項目は、本実施形態ではユーザを識別するためのユーザＩＤ（例えば、「００１」）と、ログイン名（例えば、「ユーザＡ」）と、Ｅ−ｍａｉｌアドレス（例えば、「user-a@example.com」）と、パスワード（例えば、「abc123」）と、アイコン画像（例えば、「man012.bmp」）と、である。
【００２２】
なお、項目の一部は、画像形成装置１０が自動的に値を記憶する項目であってよい。例えば、ユーザＩＤの値は、画像形成装置１０によって自動的に採番される値（例えば、連番）であってもよい。この場合は、ユーザ情報にはユーザが任意で値を登録できる項目と、ユーザが任意では値を登録できず、画像形成装置１０が自動的に値を指定する項目とが記憶されることとなる。ここで、ユーザが画像形成装置１０に対してユーザの登録を行う場合に、ユーザが値を任意で登録できる項目に何らの値も入力されなかったときは、画像形成装置１０は、画像形成装置１０が値を自動的に指定する項目のみに値が指定されたユーザ情報を記憶する。本実施形態では、ユーザＩＤは画像形成装置１０が自動的に値を記憶する項目であるとする。また、本実施形態では、ユーザは、ログイン名とＥ−ｍａｉｌアドレスとパスワードとアイコン画像との項目については、任意の値を指定できるものとする。
【００２３】
また、項目は図２に示した項目以外であっても、例えば、識別番号、所属、内線番号といった項目を有していてもよい。また、アイコン画像は、アイコン画像データ記憶領域１７４に記憶されているアイコン画像データのファイル名を記憶する。なお、アイコン画像は、画像形成装置１０以外の装置に記憶されたアイコン画像データの場所を記憶してもよいし、画像データ自体を記憶してもよい。
【００２４】
アイコン画像データ記憶領域１７４は、ユーザを識別するために表示するアイコン画像データを記憶する。アイコン画像データは、例えば、ＢＭＰ、ＰＮＧ、ＧＩＦ、ＪＰＧといった画像ファイルであるが、必要に応じて文字テキスト、記号といった文字であってもよい。アイコン画像は、予め記憶されていてもよいし、ユーザが作成してもよい。
【００２５】
クイックログインプログラム１７６は、表示部１４０に一覧表示されたアイコンを選択して、ユーザが画像形成装置１０にログインする機能（クイックログイン機能）を提供するプログラムである。例えば、図３は、クイックログイン機能として提供されるクイックログイン画面Ｗ１００の一例を示した図である。
【００２６】
クイックログイン画面Ｗ１００には、領域Ｒ１００に、ユーザ情報記憶領域１７２に記憶されたユーザ情報に基づき、ユーザを示すログイン名と、アイコンとを組にして格子状（グリッド状）に表示されている。なお、アイコンとは、本実施形態では、ユーザ情報に記憶されたアイコン画像により特定されるアイコン画像データを表示することとして説明するが、アイコンは文字、図形、記号を含む概念であり、テキストで表されたり、画像で表されたりしてもよい。また、ユーザ情報にアイコン画像が記憶されていない場合は、アイコン画像が設定されていない場合の代替となるアイコンを表示したり、アイコンを表示しなかったりしてもよい。
【００２７】
また、図３の領域Ｒ１００は、アイコンとログイン名とを表示しているが、何れか一方の表示でもよい。また、図３の領域Ｒ１００は、ユーザを示すログイン名と、アイコンとを組にして格子状に配置して表示しているが、例えば、リスト表示による一覧表示といった他の方法で表示してもよい。
【００２８】
ユーザは、領域Ｒ１００に一覧表示されたアイコンやログイン名で特定されるユーザの中から、ログインしたいユーザを選択する。例えば、ユーザにより領域Ｒ１０２のアイコンが選択された場合、当該アイコンと対応するユーザのログインを行う。なお、ユーザ情報にログイン名が記憶されていないユーザは、領域Ｒ１０２のように、ログイン名が表示されない。
【００２９】
ユーザ情報に基づくアイコンやログイン名が、領域Ｒ１００に表示しきれない場合は、領域Ｒ１００をスクロール可能に表示してもよいし、表示しきれないアイコンやログイン名を別画面（別ページ）に表示してもよい。例えば、ユーザにより領域Ｒ１０６がタッチされると、次ページに切替えて、アイコンやログイン名を一覧表示する。
【００３０】
また、クイックログイン画面Ｗ１００には、サブメニューを表示するための領域Ｒ１０８を含んでもよい。ユーザによって領域Ｒ１０８が選択された場合は、クイックログイン画面Ｗ１００にはサブメニューが表示される。サブメニューには、例えば、ユーザの追加や編集、削除といった機能を呼び出すためのメニュー項目や、領域Ｒ１００に表示されたログイン名と、アイコンとの組を並び替える機能を呼び出すためのメニュー項目が表示される。また、クイックログイン画面Ｗ１００には、画像形成装置１０の管理者がログインするためのボタンや、ジョブ状況を確認するためのボタンが含まれていてもよい。
【００３１】
なお、画像形成装置１０は、クイックログインプログラム１７６によるログイン方法以外のログイン方法によって、ユーザのログインを可能としてもよい。例えば、ユーザによって操作入力部１５０を介して入力されるログイン名とパスワードに基づいてユーザを認証するログイン方法や、顔や声紋等の生体情報に基づくログイン方法によって、ユーザのログインを可能としてもよい。
【００３２】
利用可能機能テーブル１７８は、ユーザ情報に登録（記憶）された項目の状況と、ユーザが利用できる機能（画像形成装置１０が実行可能な機能）とを対応させたテーブルである。利用可能機能テーブル１７８は、画像形成装置１０の管理者等によって記憶される。
【００３３】
本実施形態において、利用できる、利用可能であるとは、ユーザが、画像形成装置１０が備える所定の機能を発揮できることをいう。すなわち、画像形成装置１０が、ユーザの操作に基づく機能を実行することをいう。また、本実施形態において、利用できないとは、ユーザが、画像形成装置１０が備える所定の機能を発揮できないことをいう。すなわち、画像形成装置１０において、所定の機能を実行しないことをいう。なお、機能は実行されるものの、ユーザが最終的な結果物を得られない場合も、利用できないという。
【００３４】
図４は、利用可能機能テーブル１７８の一例を示した図である。図４の（ａ）の部分は、ユーザ情報の項目毎に、値（情報）が登録（記憶）されているか否かの組み合わせを示している。例えば、図４のＤ１００は、ユーザ情報の項目のうち、ログイン名と、Ｅ−ｍａｉｌアドレスとは、値が登録済み（記憶されている）だが、パスワードは値が未登録（記憶されていない）場合を示す。なお、図４の（ａ）に列挙されていない項目については、値が登録されているか否かを問わないことを示す。
【００３５】
また、図４の（ｂ）の部分は、登録状況によって、画像形成装置１０のどの機能が利用可能であるかを示している。本実施形態における機能とは、画像を形成する方法に基づいて分類した画像形成装置１０が実現する機能である。また、本実施形態では、画像形成装置１０が備える機能は、コピー機能、プリント機能、ファクス機能、スキャン機能とする。さらに、それぞれの機能には、ユーザが設定可能な内容（設定内容）を含むものとする。例えば、コピー機能に関する設定内容としては、カラーモードや、コピー可能な部数、コピー可能な用紙のサイズ等を含む。
【００３６】
本実施形態では、ユーザが利用可能な機能であることを、利用可能機能テーブル１７８に「可」という値を記憶させることにより示す。また、利用可能機能テーブル１７８は、ユーザが変更可能な設定内容についても記憶する。例えば、図４のＤ１０２は、ログイン名と、Ｅ−ｍａｉｌアドレスとは登録済みだが、パスワードが未登録であるユーザは、コピー機能、プリント機能、ファクス機能、スキャン機能が利用できることを示す。また、設定内容の一部については、設定の内容を変更することが不可能であることを示す。
【００３７】
なお、図４のＤ１０４のように、登録状況には、ログイン名は未登録であり、Ｅ−ｍａｉｌアドレスやパスワードが登録済みか未登録かを問わないという登録状況が含まれていてもよい。
【００３８】
［１．２  処理の流れ］
［１．２．１  メイン処理］
本実施形態の処理の流れについて、図を参照して説明する。まず、図５を参照して、画像形成装置１０のメイン処理について説明する。はじめに、制御部１００は、ログイン画面を表示する（ステップＳ１０２）。ログイン画面は、クイックログインプログラム１７６を実行することによって表示される画面であってもよいし、ログイン名とパスワードとを入力するための画面であってもよい。
【００３９】
つづいて、制御部１００は、ログイン画面において、ユーザ登録を行うための操作がされたか否かを判定し、ユーザ登録を行うための操作がされた場合は、ユーザ登録処理を実行する（ステップＳ１０４；Ｙｅｓ→ステップＳ１０６）。ユーザ登録を行うための操作は、例えば、ユーザによって、クイックログイン画面に表示されたサブメニューから、ユーザを登録するメニュー項目が選択される操作である。なお、ユーザ登録処理については後述する。
【００４０】
つづいて、ユーザ登録操作がされなかった場合は、ログイン画面においてユーザにされた操作に基づき、ユーザのログインを行う（ステップＳ１０４；Ｎｏ→ステップＳ１０８）。例えば、ステップＳ１０２において、制御部１００が表示部１４０やＷＥＢブラウザにクイックログイン画面を表示している場合であって、アイコンが選択された場合は、制御部１００は、ユーザによって選択されたアイコンに対応するユーザのログインを行う。
【００４１】
つづいて、制御部１００は、ログインを行ったユーザに対応するユーザ情報の項目に基づいて、ログインしたユーザが利用可能な機能を決定する利用可能機能決定処理を実行する（ステップＳ１１０）。
【００４２】
図６を参照して、利用可能機能決定処理について説明する。利用可能機能決定処理は、制御部１００が、ログインしたユーザのユーザ情報に記憶された項目に基づき、ログインしたユーザが利用できる機能を決定する処理である。具体的には、制御部１００は、ログインしたユーザのユーザ情報の項目に値が記憶されているか否かと、利用可能機能テーブル１７８に記憶された登録状況とを照合する。そして、登録状況に対応する利用可能機能に記憶された値によって、ログインしたユーザが利用できる機能や、変更可能な設定内容を決定する。
【００４３】
図６は、図４に示した利用可能機能テーブル１７８が記憶部１７０に記憶されている場合において、利用可能機能決定処理の流れを示した図である。なお、以下の説明においては、ログインしたユーザに対応するユーザ情報を、対象ユーザ情報という。
【００４４】
まず、制御部１００は、対象ユーザ情報に、ログイン名が登録されているか否かを判定する（ステップＳ１２２）。ログイン名が登録されている場合は、つづいて、制御部１００は、対象ユーザ情報にＥ−ｍａｉｌアドレスが登録されているか否かを判定する（ステップＳ１２２；Ｙｅｓ→ステップＳ１２４）。Ｅ−ｍａｉｌアドレスが登録されている場合は、つづいて、制御部１００は、対象ユーザ情報にパスワードが登録されているか否かを判定する（ステップＳ１２４；Ｙｅｓ→ステップＳ１２６）。パスワードが登録されている場合は、制御部１００は、ログインしたユーザが、コピー機能、プリント機能、ファクス機能、スキャン機能を利用可能とし、全ての設定内容を変更可能であることを決定する（ステップＳ１２６；Ｙｅｓ→ステップＳ１２８）。
【００４５】
ステップＳ１２６において、対象ユーザ情報にパスワードが登録されていない場合は、制御部１００は、コピー機能、プリント機能、ファクス機能、スキャン機能を利用可能とし、機能の一部については、設定内容を設定することを不可能とする（ステップＳ１２６；Ｎｏ→ステップＳ１３０）。
【００４６】
ステップＳ１２４において、対象ユーザ情報にＥ−ｍａｉｌアドレスが登録されていない場合は、つづいて、制御部１００は、対象ユーザ情報にパスワードが登録されているか否かを判定する（ステップＳ１２４；Ｎｏ→ステップＳ１３２）。パスワードが登録されている場合は、制御部１００は、コピー、プリントの機能を利用可能とし、コピー機能とプリント機能の設定内容を変更可能とする（ステップＳ１３２；Ｙｅｓ→ステップＳ１３４）。
【００４７】
ステップＳ１３４において、パスワードが登録されていない場合は、制御部１００は、コピー、プリントの機能を利用可能とし、コピー機能とプリント機能の一部の設定内容を設定することを不可能とする（ステップＳ１３２；Ｎｏ→ステップＳ１３６）。
【００４８】
ステップＳ１２２において、ログイン名が登録されていない場合は、制御部１００は、コピーの機能を利用可能とし、コピー機能の一部の設定内容を設定することを不可能とする（ステップＳ１２２；Ｎｏ→ステップＳ１３８）。なお本実施形態では、ログイン名、Ｅ−ｍａｉｌアドレス、パスワードの項目に値が入力されていなかった場合であっても、ユーザＩＤについては値が記憶されている。すなわち、ユーザ登録画面において、ユーザが何れの項目に値を入力しないままユーザ登録をした場合であっても、ユーザＩＤという項目には値が登録される。つまり、ユーザＩＤという１つの項目に値が記憶されている状態のユーザであっても、コピー機能を利用することができる。
【００４９】
図５に戻り、制御部１００は、利用可能機能決定処理において決定した、ログインしたユーザが利用可能な機能や変更可能な設定内容を含んだホーム画面を表示する（ステップＳ１１２）。
【００５０】
［１．２．２  ユーザ登録処理］
図７を参照して、ユーザ登録処理について説明する。はじめに、制御部１００は、ユーザ登録画面を表示する（ステップＳ１５２）。ユーザ登録画面とは、ユーザ情報に記憶する値を入力するための入力フィールドや、ユーザを登録するための登録ボタンや、ユーザ登録をキャンセルするためのキャンセルボタン等を含んだ画面である。ユーザは、操作入力部１５０を介して、ユーザ登録画面にログイン名、Ｅ−ｍａｉｌアドレス、パスワードといった、ユーザ情報の項目に記憶する値を入力する。
【００５１】
つづいて、制御部１００は、ユーザ登録画面に含まれる登録ボタンがユーザによって選択されたか否かを判定する（ステップＳ１５４）。ユーザによって登録ボタンが選択された場合は（ステップＳ１５４；Ｙｅｓ）、制御部１００は、ユーザ登録画面に含まれる入力フィールドに、それぞれ値が入力されているか否かを判定する。制御部１００は、ログイン名と、Ｅ−ｍａｉｌアドレスと、パスワードとが入力されているか否かをそれぞれ判定する（ステップＳ１５６→ステップＳ１５８→ステップＳ１６０）。ログイン名、Ｅ−ｍａｉｌアドレス、パスワードのいずれもが入力されている場合は、制御部１００は、入力された内容に基づくユーザ情報をユーザ情報記憶領域１７２に記憶する（ステップＳ１５６；Ｙｅｓ→ステップＳ１５８；Ｙｅｓ→ステップＳ１６０；Ｙｅｓ→ステップＳ１６２）。すなわち、制御部１００は、ユーザＩＤを採番し、当該採番したＩＤと、ユーザによって入力されたログイン名、Ｅ−ｍａｉｌアドレス、パスワード、アイコン画像の値を、ユーザ情報としてユーザ情報記憶領域１７２に記憶する。
【００５２】
一方で、ログイン名が入力されていない場合（ステップＳ１５６；Ｎｏ）、Ｅ−ｍａｉｌアドレスが入力されていない場合（ステップＳ１５８；Ｎｏ）、パスワードが入力されていない場合（ステップＳ１６０；Ｎｏ）のそれぞれの場合について、制御部１００は、入力されている内容に応じたメッセージを表示する（ステップＳ１６４）。ユーザ登録画面の入力フィールドのうち、いずれかの値が入力されていない場合は、ユーザ情報の一部の項目が未登録の状態でユーザ情報を記憶することとなる。このような場合は、ホーム画面表示処理でも説明したように、ユーザ情報の一部の項目の値が登録されていないため、利用できる機能や、機能の一部が設定不可能となる。したがって、制御部１００は、利用できる機能や、機能の一部が設定不可能となることを、メッセージで表示する。このとき、制御部１００は、利用できない機能を具体的にメッセージに含んで、メッセージを表示してもよい。
【００５３】
つづいて、制御部１００は、ユーザ情報の一部の項目が未登録の状態で、ユーザ情報をユーザ情報記憶領域１７２に記憶する（ステップＳ１６２）。すなわち、制御部１００は、ユーザＩＤを採番し、当該採番したＩＤと、ユーザによって入力されたログイン名、Ｅ−ｍａｉｌアドレス、パスワード、アイコン画像を、ユーザ情報としてユーザ情報記憶領域１７２に記憶する。このとき、一部の項目についてユーザによって入力された値がない場合は、値がない状態のまま記憶する。
【００５４】
［１．３  動作例］
図を参照して、本実施形態の動作例について説明する。図８（ａ）は、ログイン名が未登録のユーザがログインした場合に表示されるホーム画面Ｗ１１０の表示画面である。具体的には、ユーザによって図３の領域Ｒ１０２のアイコンが選択された場合に画像形成装置１０が表示するホーム画面である。図３の説明でも記載したように、領域Ｒ１０２は、ログイン名が表示されていない。領域Ｒ１０２にログイン名が表示されていないのは、そもそも、領域Ｒ１０２のアイコンによって示されるユーザのログイン名が、ユーザ情報に記憶されていないからである。この場合は、画像形成装置１０は、コピー機能及びコピー機能の一部の設定を設定不可能としたホーム画面を表示する。例えば、図８（ａ）に示すように、画像形成装置１０は、ホーム画面にコピー機能を呼び出すためのボタンＲ１１０と、当該ユーザが変更可能な設定内容を含んだホーム画面を表示する。
【００５５】
また、機能の一部が利用できないことを、明示的に示してもよい。例えば、図８（ｂ）の領域Ｒ１１２のように、ユーザが利用できない機能に対応するボタンをグレーアウトさせた状態で表示したり、ユーザ情報の登録状況によって、一部の機能のみが利用できることを示すメッセージを表示したりしてもよい。なお、メッセージの表示の方法は、ボタン付近に吹き出しで表示したり、ホーム画面に設けたステータス領域に表示したりしてもよく、様々考えられる。
【００５６】
図９は、ログイン名とパスワードとが登録済みだが、Ｅ−ｍａｉｌアドレスが未登録のユーザがログインした場合に表示されるホーム画面Ｗ１２０の表示画面である。この場合は、画像形成装置１０は、コピー機能及びプリント機能が利用可能であり、コピー機能とプリント機能の設定内容を変更可能とするホーム画面を表示する。
【００５７】
図１０は、ログイン名とＥ−ｍａｉｌアドレスとが登録済みだが、パスワードが未登録のユーザがログインした場合に表示されるホーム画面Ｗ１３０の表示画面である。この場合は、画像形成装置１０は、コピー機能、プリント機能、ファクス機能、スキャン機能が利用可能であり、機能の一部については、設定内容を設定することを不可能とするホーム画面を表示する。
【００５８】
図１１は、ログイン名とＥ−ｍａｉｌアドレスとパスワードとが登録済みのユーザがログインした場合に表示されるホーム画面Ｗ１３０の表示画面である。この場合は、画像形成装置１０は、コピー機能、プリント機能、ファクス機能、スキャン機能が利用可能であり、全ての設定内容を変更可能とするホーム画面を表示する。
【００５９】
図１２は、ユーザがユーザ登録画面を表示する場合の画面例である。図１２（ａ）は、クイックログイン画面に含まれるサブメニューを表示するための領域が、ユーザによって選ばれている状態を示す画面例である。ユーザによってサブメニューを表示するための領域が選ばれると、画像形成装置１０は、図１２（ｂ）に示すようにサブメニューを表示する。
【００６０】
ユーザによって、サブメニューに含まれるユーザを登録するためのメニュー項目が選択された場合は、図１３に示すように、画像形成装置１０は、クイックログイン画面のうち、ユーザ登録によって追加されるユーザのアイコンを表示可能な領域を示す識別表示を表示する。例えば、図１３の例では、例えば、ユーザ登録によって追加されるユーザのアイコンを表示可能な領域を、「＋」の記号を囲んだ識別表示によって表示している。
【００６１】
ユーザによって識別表示が選択された場合は、画像形成装置１０は、ユーザによって選択された領域に表示するユーザに関する情報を登録するための、ユーザ登録画面を表示する。
【００６２】
図１４（ａ）は、ユーザ登録画面Ｗ１５０の画面例である。ユーザ登録画面Ｗ１５０には、ログイン名を入力するための入力フィールドＲ１５０、Ｅ−ｍａｉｌアドレスを入力するための入力フィールドＲ１５１、パスワードを入力するための入力フィールドＲ１５２、パスワードを再度入力するための入力フィールドＲ１５３が含まれる。
【００６３】
また、アイコンを変更するためのサブメニューのメニュー項目Ｒ１５４が含まれる。ユーザによってメニュー項目Ｒ１５４が選択された場合は、画像形成装置１０は、アイコン画像データ記憶領域１７４に記憶されたアイコン画像データを一覧表示し、ユーザによって選択されたアイコンを、ユーザのアイコン画像を表示する領域Ｒ１５５に表示する。
【００６４】
また、ユーザ登録画面Ｗ１５０に入力された内容に基づいてユーザの登録を行うための登録ボタンＲ１５６と、ユーザの登録をキャンセルするためのキャンセルボタンＲ１５７とが含まれる。
【００６５】
図１４（ｂ）は、ログイン名、Ｅ−ｍａｉｌアドレス、パスワードが入力されないまま、登録ボタンＲ１５６がユーザによって選択された場合に、画像形成装置１０がメッセージを表示した場合の表示画面Ｗ１６０の例である。図１４（ｂ）に示すように、メッセージには、利用できる機能や、利用できない機能、一部の設定内容が変更できないことが示される。また、メッセージには、利用できない機能や設定内容が変更できない理由を含めている。
【００６６】
なお、ログイン名、Ｅ−ｍａｉｌアドレス、パスワードが入力されない場合であっても、ユーザ情報にはユーザＩＤが記憶される。また、アイコンが選択された場合は、ユーザ情報にはアイコン画像も併せて記憶される。
【００６７】
図１５（ａ）は、ログイン名のみが入力されているユーザ登録画面の画面例であり、図１５（ｂ）は、ログイン名のみが入力されている場合にユーザ登録を行った場合に、表示する画面例である。図１５（ｂ）に示すように、メッセージには、スキャン機能とファクス機能が利用できないこと、コピー機能とプリント機能が利用できることと、一部の設定が変更できないことを示す内容が含まれている。
【００６８】
図１６（ａ）は、ログイン名とＥ−ｍａｉｌアドレスが入力されているユーザ登録画面の画面例であり、図１６（ｂ）は、ログイン名とＥ−ｍａｉｌアドレスが入力されている場合にユーザ登録を行った場合に、表示する画面例である。図１６（ｂ）に示すように、メッセージには、一部の設定が変更できないことを示す内容が含まれている。
【００６９】
図１７（ａ）は、ログイン名とパスワードとが入力されているユーザ登録画面の画面例であり、図１７（ｂ）は、ログイン名とパスワードとが入力されている場合にユーザ登録を行った場合に、表示する画面例である。図１７（ｂ）に示すように、メッセージには、スキャン機能とファクス機能とが利用できないことを示す内容が含まれている。
【００７０】
図１８（ａ）は、ログイン名とＥ−ｍａｉｌアドレスとパスワードとが入力されているユーザ登録画面の画面例である。この場合ユーザによって登録ボタンが選択された場合は、画像形成装置１０は、メッセージを表示せずにユーザ情報を記憶する。
【００７１】
図１８（ｂ）は、ユーザ情報を記憶した後に、画像形成装置１０が表示するクイックログイン画面の例である。画像形成装置１０は、ユーザ情報を記憶した後にクイックログイン画面を表示する。このとき、図１３で示した、ユーザによってタッチされた位置（図１８（ｂ）の領域Ｒ１７０）に、新たに登録されたユーザのユーザ情報に基づくアイコンや、ログイン名を表示する。
【００７２】
なお、本実施形態では、ユーザを登録する場合について説明を記載したが、ユーザ情報を変更する場合においても画像形成装置１０は同様の処理を行う。すなわち、ユーザ情報が変更される場合は、画像形成装置１０は、ユーザ登録画面に、ユーザ情報を変更する対象となるユーザのユーザ情報に基づき、値を入力フィールドに表示する。そして、ユーザによって登録ボタンが選択されたときには、そのときにユーザ登録画面の入力フィールドに入力される値に基づいてメッセージを表示する。また、ユーザ情報が変更された場合に、当該ユーザ情報が変更されたユーザのホーム画面を表示する場合は、画像形成装置１０は、変更後のユーザ情報に基づいて、利用できる機能や変更可能な設定内容を含んだホーム画面を表示する。
【００７３】
また、本実施形態では、ユーザ登録画面に表示される入力フィールドの全てに何も値が入力されなくてもユーザの登録が可能であるとして説明したが、例えば、ログイン名は必須にするといったように、値の入力が必須の項目があってもよい。
【００７４】
また、本実施形態では、ユーザ情報の項目に、値が記憶されているか否かによって、ユーザが利用できる機能や変更可能な設定内容を決定することとして説明したが、入力された値の種類によってユーザが利用できる機能や変更可能な設定内容が決定されてもよい。例えば、入力されたパスワードが、個人用のパスワードであるか、部門やグループ別のパスワードであるかによって、ユーザが利用できる機能や変更可能な設定内容が異ならせてもよい。また、メールアドレスの種類（例えば、ドメイン）によって、ユーザが利用できる機能や変更可能な設定内容を異ならせてもよい。
【００７５】
本実施形態によれば、画像形成装置１０において、ログインしたユーザのユーザ情報の登録状況に応じて、ユーザが利用できる機能の一部を利用できるようにしたり、利用できなくなるようにしたりすることができる。
【００７６】
［２．第２実施形態］
つづいて第２実施形態について説明する。第２実施形態は第１実施形態と異なり、ユーザ情報の登録内容に基づき、ユーザが利用できる機能に制限を設ける（ユーザに対する使用条件を設ける）実施形態である。本実施形態は、第１実施形態の図２を図１９に、図４を図２０にそれぞれ置き換えたものである。なお、同一の機能部及び処理には同一の符号を付し、説明については省略する。
【００７７】
本実施形態において、機能に制限を設けるとは、画像形成装置１０が備える機能について、本来実現可能な処理の内容の一部を、ユーザに利用できないようにし、ユーザが使用できる機能について条件をつけることをいう。例えば、画像形成装置１０が備えるコピー機能としては、本来は所定の部数（例えば、９９９枚）を上限として、原稿の画像データを形成する処理を実現可能であるとする。このとき、コピー機能に制限を設けることで、本来の上限の部数よりも少ない部数（例えば、２０枚）を上限として、原稿の画像データを形成する処理を実現可能とする。また、画像形成装置１０が備えるコピー機能としては、本来はモノクロコピーとカラーコピーの処理が実現可能であるときに、コピー機能に制限を設けて、モノクロコピーだけ実現可能なようにしてもよい。どの機能に、どの制限を設けるかについては、画像形成装置１０の管理者等が決めればよい。
【００７８】
本実施形態におけるユーザ情報の例を、図１９に示す。図４と異なり、ユーザ情報には、新たにトレイ番号（例えば、「１」）が記憶される。また、本実施形態のユーザ登録画面には、トレイ番号の入力フィールドを含み、当該トレイ番号の入力フィールドにユーザによって入力された値が、ユーザ情報のトレイ番号に記憶される。また、トレイ番号は、ユーザ情報にログイン名が記憶されている場合に有効であるとする。したがって、図１９のＤ２００に示すように、ログイン名が記憶されていないユーザ情報には、トレイ番号が記憶されない。このようにすることで、ログイン名が記憶されていないユーザがログインした場合は、任意のトレイに記録用紙を排紙できないという制限が設けられる。
【００７９】
また、本実施形態における利用可能機能テーブル１７８の例を、図２０に示す。図２０は、ユーザ情報の登録状況に応じて、ユーザが利用できる機能に制限が設けられていることを示す。具体的には、Ｄ２０２に示すように、ユーザ情報にＥ−ｍａｉｌアドレスとパスワードとが記憶されていないユーザは、コピー機能を利用する際に、カラーコピーが利用できないという制限が設けられる。また、Ｄ２０４に示すように、ログイン名が記憶されていないユーザは、カラーコピーが利用できず、さらに、コピーが２０枚まで可能であるという制限が設けられる。
【００８０】
また、図１９の説明に対応して、図２０のＤ２０６に示すように、ログイン名が記憶されているユーザは、トレイ番号によって示されるトレイに、記録用紙が排紙される。しかし、図２０のＤ２０８に示すように、ログイン名が記憶されていないユーザは、記録用紙が共有トレイに排紙される。このような利用可能機能テーブル１７８に基づいて、制御部２００は、ステップＳ１１０の利用可能機能決定処理において、ユーザが利用可能な機能と、ユーザが利用できる機能（使用条件）とを、併せて決定することができる。図２０の例では、制御部２００は、排紙トレイという設定内容について、ユーザ情報の登録状況に応じて、画像形成装置１０は、ユーザ情報に記憶されたトレイ番号の設定に基づいて排紙をするか、トレイ番号の設定に基づかず共有トレイに排紙するかを決定する。
【００８１】
また、本実施形態では、図７のステップＳ１６４において、制御部１００は、ユーザによって入力された項目に応じて、ユーザが利用可能な機能に制限が設けられることを含むメッセージを表示する。このようにすることで、ユーザに、利用可能な機能に制限が設けられることを確認させることができる。
【００８２】
また、図６のステップＳ１３０において、制御部１００は、利用可能な機能に制限を設けていることを、ホーム画面に表示してもよい。例えば、機能を呼び出すボタンの付近に吹き出しで示してもよいし、ホーム画面の上部や下部にステータス領域を設け、ステータス領域に利用可能な機能に制限が設けられていることを示すメッセージを表示してもよい。
【００８３】
また、ホーム画面においては、機能に制限が設けられた機能については、いわゆる簡易モードであることを示すために、ボタンの表示を変えてもよい。例えば、図２１（ａ）に示す画面例は、コピー機能に制限を設けていない場合の画面例である。図２１（ａ）のＲ２００に示すように、コピー機能を利用するためのボタンには「コピー」と表示する。一方で、図２１（ｂ）に示す画面例は、コピー機能に制限を設けている場合の画面例である。図２１（ｂ）のＲ２０２に示すように、コピー機能を利用するためのボタンには「シンプルコピー」と表示する。
【００８４】
このように、本実施形態によれば、ユーザ情報に記憶された項目の値に基づき、画像形成装置２０は、ユーザが利用する機能に制限（使用条件）を設けたり、開放したりすることを決定することが可能となる。
【００８５】
［３．第３実施形態］
つづいて第３実施形態について説明する。第３実施形態は第１実施形態と異なり、ユーザ登録がされていない、いわゆるゲストユーザであっても、画像形成装置１０の機能を利用できる実施形態である。本実施形態は、第１実施形態の図４を図２２に、図５を図２３にそれぞれ置き換えたものである。なお、同一の機能部及び処理には同一の符号を付し、説明については省略する。
【００８６】
図２２を参照して、本実施形態の利用可能機能テーブル１７８について説明する。図２２のＤ３００は、ゲストユーザが利用可能な機能について示している。Ｄ３００に示すように、例えば、ゲストユーザは、コピー機能のみを利用可能とし、さらに、コピー機能のうち、モノクロコピーのみが利用可能とする。また、ゲストユーザが変更可能な設定内容としては、用紙サイズと拡縮率の設定のみとする。このように、ゲストユーザであっても、画像形成装置１０が備える機能の一部を、簡易的に利用することが可能なようにする。なお、ゲストユーザがどのような機能を利用可能であるかについては、画像形成装置１０の管理者等によって決定されればよい。
【００８７】
図２３を参照して、本実施形態の処理の流れについて説明する。まず、制御部１００は、ログイン画面を表示する（ステップＳ１０２）。本実施形態におけるログイン画面には、ゲストユーザでログインするためのボタンを含む。
【００８８】
つづいて、制御部１００は、ユーザによって、ユーザ登録の操作がされない場合は、登録済みのユーザでログインする操作が行われたか否かを判定する（ステップＳ３０２）。登録済みのユーザでログインする操作がされた場合は、制御部１００は、当該ユーザのログイン処理を行う（ステップＳ３０２；Ｙｅｓ→ステップＳ１０８）。
【００８９】
一方で、登録済みのユーザでログインする操作がされなかった場合、すなわち、ゲストユーザでログインする操作がされた場合は、制御部１００は、ゲストユーザが利用可能な機能を決定する。具体的には、制御部１００は利用可能機能テーブル１７８を読み出し、利用可能機能テーブル１７８に記憶されたゲストユーザが利用可能な機能や、変更可能な設定内容に基づき、ゲストユーザが利用可能な機能を決定する。例えば、図２２に示した利用可能機能テーブル１７８に基づき、制御部１００は、ゲストユーザがコピー機能のうちモノクロコピーを利用可能であり、用紙サイズ・拡縮率を設定可能であるように、利用可能な機能を決定する（ステップＳ３０２；Ｎｏ→ステップＳ３０４）。
【００９０】
本実施形態の動作例を、図２４を参照して説明する。図２４（ａ）は、ステップＳ１０２において、制御部１００が表示するログイン画面である。ここでは、ログイン画面としてクイックログイン画面が表示されるとする。本実施形態のクイックログイン画面には、図２４（ａ）の領域Ｒ４００で示すように、ゲストユーザでログインするためのボタンを含める。ユーザによって、領域Ｒ４００が選択された場合は、制御部１００は、ゲストユーザによって画像形成装置１０が利用されていると判定し、ゲストユーザ用のホーム画面を表示する。なお、制御部１００は、図２４（ｂ）に示すように、ゲストユーザ用のホーム画面を表示する際に、ゲストユーザは、一部の機能しか利用できないことや、利用できる機能が制限されていることをメッセージで表示してもよい。
【００９１】
本実施形態によれば、ユーザ登録がされていないユーザであっても、画像形成装置１０の機能を簡易的に利用することが可能となる。
【００９２】
［４．変形例］
以上、この発明の実施形態について図面を参照して詳述してきたが、具体的な構成はこの実施形態に限られるものではなく、この発明の要旨を逸脱しない範囲の設計等も特許請求の範囲に含まれる。
【００９３】
また、上述した実施形態では、説明の都合上、それぞれ別に説明している部分があるが、技術的に可能な範囲で組み合わせて実行してもよいことは勿論である。例えば、第２実施形態と第３実施形態とを組み合わせることができる。この場合は、ユーザ情報の登録内容の一部が未登録である場合や、ゲストユーザでログインした場合は、ユーザが利用できる機能の一部を制限することができる。このようにすることで、画像形成装置１０の管理者等は、ユーザが利用できる機能や、ユーザが変更可能な設定内容を、より細かく設定することができる。
【００９４】
また、実施形態において各装置で動作するプログラムは、上述した実施形態の機能を実現するように、ＣＰＵ等を制御するプログラム（コンピュータを機能させるプログラム）である。そして、これら装置で取り扱われる情報は、その処理時に一時的に一時記憶装置（例えば、ＲＡＭ）に蓄積され、その後、各種ＲＯＭやＨＤＤ、ＳＳＤの記憶装置に格納され、必要に応じてＣＰＵによって読み出し、修正・書き込みが行なわれる。
【００９５】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれるのは勿論である。
【符号の説明】
【００９６】
１０  画像形成装置
１００  制御部
１１０  画像入力部
１２０  画像処理部
１３０  画像形成部
１４０  表示部
１５０  操作入力部
１６０  通信部
１７０  記憶部
１７２  ユーザ情報記憶領域
１７４  アイコン画像データ記憶領域
１７６  クイックログインプログラム
１７８  利用可能機能テーブル
【図１】
2020100070.tif 000003
【図２】
2020100070.tif 000004
【図３】
2020100070.tif 000005
【図４】
2020100070.tif 000006
【図５】
2020100070.tif 000007
【図６】
2020100070.tif 000008
【図７】
2020100070.tif 000009
【図８】
2020100070.tif 000010
【図９】
2020100070.tif 000011
【図１０】
2020100070.tif 000012
【図１１】
2020100070.tif 000013
【図１２】
2020100070.tif 000014
【図１３】
2020100070.tif 000015
【図１４】
2020100070.tif 000016
【図１５】
2020100070.tif 000017
【図１６】
2020100070.tif 000018
【図１７】
2020100070.tif 000019
【図１８】
2020100070.tif 000020
【図１９】
2020100070.tif 000021
【図２０】
2020100070.tif 000022
【図２１】
2020100070.tif 000023
【図２２】
2020100070.tif 000024
【図２３】
2020100070.tif 000025
【図２４】
2020100070.tif 000026